(57)【要約】      （修正有）【課題】施工が容易となり、構成部品の部品点数を減らすことのできる手摺を提供する。【解決手段】支柱１とパネル５と上枠と下枠４と竪枠２とを備えており、支柱は、躯体の上に所定の間隔をあけて複数立設し、上枠は、支柱の躯体外側見付面Ｍの上部間に架設するとともに、下向きに開口した上側パネル呑込み溝を有し、下枠は、胴縁材８と胴縁受け材１９とからなり、支柱の躯体外側見付面の下部間に配置するとともに、上向きに開口した下パネル呑み込み溝７を有し、胴縁材の躯体内側には係合部２０，２１が設けてあり、胴縁受け材の躯体外側には被係合部２２，２３を有しており、胴縁材と胴縁受け材を、係合部と被係合部で係合する。【選択図】図１
2019112782.tif 000002
【特許請求の範囲】
【請求項１】
支柱とパネルと上枠と下枠と竪枠とを備えており、
支柱は、躯体の上に所定の間隔をあけて複数立設するものであり、上枠は、各支柱の躯体外側見付面の上部間に架設するとともに、下向きに開口した上側パネル呑込み溝を有しており、
下枠は、胴縁材と胴縁受け材とからなり、各支柱の躯体外側見付面の下部間に配置するとともに、上向きに開口した下パネル呑み込み溝を有しており、
胴縁材の躯体内側には係合部が設けてあり、胴縁受け材の躯体外側には被係合部を有しており、胴縁材と胴縁受け材は、係合部と被係合部で係合するものであり、
係合部と被係合部は、支柱の躯体外側見付面の上下に間隔をあけてそれぞれが係合しており、
上下の各係合箇所は、下側のものが上側のものよりも支柱の躯体外側見付面から離れた位置で係合していることを特徴とする手摺。
【発明の詳細な説明】
【技術分野】
【０００１】
本発明は、バルコニーや通路等に設置することで歩行者の転落を防ぎ、さらに、歩行の補助や身体を支える機能を有する手摺に関するものである。
【背景技術】
【０００２】
バルコニーや通路に設置される手摺は、躯体に埋設したアンカーで支持する支柱を起立する。そして、支柱に上枠と下枠、及びブラケット等の固定金具を取り付け、さらに、ブラケットの先端に竪枠を取り付けて格子桟やガラスパネルを枠内に嵌まり込ませることで形成される。
【先行技術文献】
【特許文献】
【０００３】
【特許文献１】特開２０１２−９２６１９号公報
【発明の開示】
【発明が解決しようとする課題】
【０００４】
上記のような手摺では、下枠を取り付けるときに、支柱の外側見付面に胴縁を固定し、さらに、胴縁の上部にパネルを保持するための複数の保持手段を取り付ける工程を要する。このことから、手摺を構成する部品点数が多くなり、構造が複雑になるとともに、施工に手間がかかる問題があった。
【０００５】
本発明は以上に述べたような実情に鑑み、施工が容易となり、さらに、構成部品の部品点数を減らすことのできる手摺を提供することにある。
【課題を解決するための手段】
【０００６】
本発明は、支柱とパネルと上枠と下枠と竪枠とを備えており、支柱は、躯体の上に所定の間隔をあけて複数立設するものであり、上枠は、各支柱の躯体外側見付面の上部間に架設するとともに、下向きに開口した上側パネル呑込み溝を有しており、下枠は、胴縁材と胴縁受け材とからなり、各支柱の躯体外側見付面の下部間に配置するとともに、上向きに開口した下パネル呑み込み溝を有しており、胴縁材の躯体内側には係合部が設けてあり、胴縁受け材の躯体外側には被係合部を有しており、胴縁材と胴縁受け材は、係合部と被係合部で係合するものであり、係合部と被係合部は、支柱の躯体外側見付面の上下に間隔をあけてそれぞれが係合しており、上下の各係合箇所は、下側のものが上側のものよりも支柱の躯体外側見付面から離れた位置で係合していることを特徴とする。
【発明の効果】
【０００７】
本発明によれば、胴縁材を胴縁受け材に載せるかたちで取り付けるのみで、係合部の下側が胴縁受け材の下溝部に落とし込まれるとともに、上側が胴縁受け材の上溝部にも落とし込まれる。さらに、上側が胴縁受け材の上溝部に落とし込まれたときに、支持受部にも載ることから、係合部の上側が被係合部に安定して引っ掛かる。
さらに、係合部の下側が下溝部に落とし込まれることで、上下の二箇所で係合するので、胴縁材が胴縁受け材に安定した状態で取り付けできる。さらに、係合部の被係合部の上下の係合箇所が躯体内外方向に相違した位置でそれぞれ係合していることにより、胴縁受け材に対する胴縁材の荷重が垂れ下がる方向に強くなり、胴縁材の設置状態が安定する。これにより、胴縁受け材に胴縁材を固定したときの耐久性が向上し、手摺の安定的な運用ができる。
【図面の簡単な説明】
【０００８】
【図１】本実施による手摺を構成する下枠の（ａ）は、図２中Ａを拡大して示す下枠の拡大縦断面図であり、（ｂ）は、胴縁受け材に胴縁材を取り付ける状態を示す拡大縦断面図である。
【図２】本実施による手摺の全体を示す縦断面図である。
【図３】本発明による手摺のうち、ガラスパネルを配置するパネル手摺の実施形態を示す（ａ）は、支柱のみを一部を拡大した斜視図であり、（ｂ）は、パネルを取り付けた状態を示す一部を拡大した斜視図である。
【図４】図２中Ｂ−Ｂ線断面図である。
【図５】本実施による手摺を構成する各部品の展開図を示す平面視した断面図である。
【図６】（ａ）は、図２中Ｃを拡大して示す上枠の拡大縦断面図であり、（ｂ）は、パネル押さえ部に笠木部材を取り付ける状態を示す拡大縦断面図である。
【図７】（ａ）〜（ｃ）は、本実施による手摺の施工手順のうち、支柱と下枠の取付手順を示す図である。
【図８】（ａ）〜（ｄ）は、本実施による手摺の施工手順のうち、竪枠とパネルの取付手順を示す平面視線した断面図である。
【図９】本発明の手摺の他の実施形態として、竪格子を配置した格子手摺の（ａ）は、全体縦断面図であり、（ｂ）は、（ａ）中Ｄを拡大した断面図である。
【発明を実施するための形態】
【０００９】
以下、本発明の手摺の実施形態を各図面に基づいて説明する。
本発明は、バルコニー躯体Ｒの屋外側縁部に設置されるものを挙げる。
本実施による手摺は、図２に示すように、建物のバルコニー躯体Ｒの外周縁部を立ち上げて形成されたパラペットＰの上面に設置されている。そして、本実施による手摺は、バルコニー躯体Ｒに固定される支柱１と、支柱１に沿って取り付けられる竪枠２と、支柱１の上方位置に固定される上枠３と、支柱１の下方位置に固定される下枠４と、上枠３と下枠４により保持されるガラスパネル（パネル）５とから構成される。また、本実施によるガラスパネル５は、図示は省略するが、躯体内側と躯体外側に配置する両面二枚のガラス板の間にフィルムを挟んだ三層構造をなすものを使用している。
【００１０】
本発明の手摺の要部である下枠４は、図１（ａ）（ｂ）のように、ガラスパネル５を上方から受ける受溝部（下パネル呑み込み溝）７を有する胴縁材８と、支柱１に固定して胴縁材８を受ける胴縁受け材１９とから構成している。胴縁材８は、躯体外側にガラスパネル５を受ける上向きほぼコ字型の受溝部７を有している。また、躯体内側壁部には、下向き鉤型の係合片２０が躯体内側に向けて設けてあり、さらに、下方に突出した垂直片２１を有している。胴縁受け材１９は、上部に被係合部２２を有し、下部に躯体外側に突出した受け片２３を有するほぼＬ字型をなすものである。そして、胴縁受け材１９の被係合部２２には、胴縁材８の係合片２０が上下方向に係合し、さらに、胴縁受け材１９の受け片２３には、胴縁材８の垂直片２１が載ることで、胴縁材８が胴縁受け材１９から脱落不能な状態で係合する。また、胴縁材８と胴縁受け材１９は、互いが係合した状態では仮固定の状態であるから、係合片２０と被係合部２２が係合する箇所をネジ２４ｄで固定することにより不意な離脱を防いでいる。上記のように形成すると、胴縁材８の垂下片２１とそれを受ける胴縁受け材１９の受溝部７の係合箇所、ならびに、胴縁材８の受け片２３から躯体側に持ち出された係合片２０とが係合する係合箇所、胴縁材８と胴縁受け材１９との係合箇所が躯体外側下方、躯体内側上方の対角の二箇所で係合する。したがって、胴縁材８と胴縁受け材１９の係合状態が安定し、胴縁材８のガタツキや胴縁受け材１９からの脱落が防がれる。
【００１１】
上記のように下枠４が構成された手摺は、以下に示すような作用・効果を奏することになる。この下枠４は、支柱１の躯体外側見付面Ｍに固定してある胴縁受け材１９に対し、胴縁材８の上下の箇所をそれぞれ上方から引っ掛けるかたちで取り付けることができる。具体的には、胴縁材８の垂直片２１を胴縁受け材１９の下部にある受け片２３の窪みに落とし込むとともに、胴縁材８の係合片２０を胴縁受け材１９の上部にある被係合部２２に載せて係合する。これにより、下枠４の取り付けについても、比較的小さな胴縁受け材１９を支柱１の躯体外側見付面Ｍに固定するのみで、その胴縁受け材１９に胴縁材８を引っ掛ける作業だけでガラスパネル５の支持まで行えるので、効率的な手摺の施工が可能となる。
【００１２】
以下、本実施による手摺を構成するその他の部位について説明する。
上記の構成部位のうち、まず、支柱１は、図３（ａ）（ｂ）と図４（ａ）（ｂ）および図５のように、断面ほぼ矩形状をなす中空で長尺な金属製押出形材からなっている。また、支柱１の下端部にはアンカーＵが取り付けてあり、支柱１の内周側壁部に設けてある複数のリブ間に嵌合してある。さらに、支柱１の躯体外側見付面Ｍには、支柱１の長手方向に沿って係止部９が設けてある。この係止部９は、支柱１の躯体外側見付面Ｍから躯体外側に向けてほぼ垂直にヒレ状に連続して突出しており、その先端部は、ほぼ矢印型に両側が躯体外側から躯体内側に向けて次第に拡がるように張り出している。さらに、図４（ａ）（ｂ）を参照すれば、係止部９の躯体内側は、ガラスパネル５の躯体外側面にほぼ平行した返し部９ａになっており、後記するが、竪枠２の被係止部１０と係止したときに、竪枠２が躯体外側に不意に抜けない構造となっている。また、上記した返し部９ａの支柱１寄りに位置する係止部９の両側部には、胴縁係止部９ｂがそれぞれ設けてある。
【００１３】
竪枠２は、図４（ａ）（ｂ）と図５を参照すれば、被係止部１０とガラスパネル５を押さえる外側押さえ片１１とから平面視してほぼＴ字状をなしており、長尺な押出形材で形成してある。また、被係止部１０は、その形状が支柱１の係止部９と係止するほぼＵ字状をなしており、係止部９とは押し込んでスナップ式に係脱する構造となっている。さらに、外側押さえ片１１は、被係止部１０を挟んで両側にほぼ水平に突出しており、その内周面は、ガラスパネル５の表面と緊密に接するように平坦に形成してある。また、竪枠２の外側押さえ片１１とガラスパネル５の間には、 シール材１２が配置してある。シール材１２は、竪枠２の外側押さえ片１１とガラスパネル５の間に挟まることにより、竪枠２とガラスパネル５との水密性が確保されるとともに、竪枠２とガラスパネル５の間の緩衝手段としても機能する。
【００１４】
竪枠押縁材２５は、図４（ａ）（ｂ）と図５のように、内側押さえ片２６と、押さえ支持部２７とから全体がほぼＴ字状に構成されている。また、竪枠押縁材２５は、支柱１の係止部９と竪枠２の被係止部１０が係止する箇所の両側に取り付けられる。このうち、内側押さえ片２６は、ガラスパネル５の躯体内側面に平行するものであり、その端部には、竪枠２と係止する竪枠係止部２８を有している。また、押さえ支持部２７は、支柱１の係止部９および竪枠２の被係止部１０と平行して配置するものであり、その端部には、支柱１の係止部９の両側にある胴縁係止部９ｂに係止する胴縁被係止部２９が設けてある。
【００１５】
上枠３は、図６（ａ）（ｂ）のように、パネル押さえ部１３と笠木部材１４とから構成している。パネル押さえ部１３は、下向きコ字型のパネル呑み込み溝（上パネル呑み込み溝）１５を有し、さらに、このパネル呑み込み溝１５の躯体内側には、支柱１の上部と平行して躯体内側にほぼ水平に突出した支柱取付部１３ａが設けてある。この支柱取付部１３ａの上面にネジ２４ｃを複数打ち込んで貫通させることで、下面に当接した支柱１のタッピングホールにネジ込み固定する。また、パネル呑み込み溝１５の躯体外側箇所と支柱取付部１３ａの躯体内側箇所のそれぞれ相反する側にそれぞれ爪部１６が設けてある。笠木部材１４は、躯体外側にパネル押さえ材１３を内周部に取り付けるための空間Ｓが設けてあり、下端部には、パネル押さえ部１３の爪部１６と係りあう爪受け部１７がそれぞれ設けてある。さらに、パネル押さえ部１３のパネル呑み込み溝１５の内周壁には躯体内側と躯体外側にそれぞれシール材１２を取り付けるスライド溝部１８が設けてある。
【００１６】
本実施による手摺を構成する上記の各部位を取り付ける手順を以下に説明する。
第一の手順として、図７（ａ）のように、バルコニー躯体ＲのパラペットＰの縁部に沿って間隔をあけて立設する。このときに、すべての支柱１は、係止部９を躯体外側に向けた状態で設ける。
第二の手順として、図７（ｂ）のように、各支柱１の躯体外側見付面Ｍの下部を架け渡すように胴縁受け材１９をほぼ水平に固定する。さらに、図１（ｂ）を参照すれば、胴縁受け材１９の上方から胴縁材８を落とし込んで係合し、この胴縁材８と胴縁受け材１９を上下方向にネジ２４ｄで固定する。
第三の手順として、図７（ｂ）を参照すれば、上枠３のパネル押さえ材１３のパネル呑み込み溝１５をガラスパネル５の上部に嵌めて載置し、さらに、パネル押さえ材１３の支柱取付部１３ａを支柱１の上部に載せる。そして、パネル押さえ材１３を支柱１に対してネジ２４ａで固定し、さらに、支柱取付部１３ａのそれぞれの爪部１６に合わせて笠木部材１４を被せていく。ここで、笠木部材１４のそれぞれの爪受け部１７に対応する支柱取付部１３ａの爪部１６が嵌り込むことにより、支柱１に上枠３が取り付けられる。
第四の手順として、図７（ｃ）のように、胴縁材８の７にガラスパネル５を落とし込み、このガラスパネル５を自立させた状態で置く。
第五の手順として、図８（ａ）（ｂ）のように、支柱１の躯体外側見付面Ｍに設けてある係止部９に竪枠２の被係止部１０を押し込んで係止する。さらに、
図８（ｃ）のように、前述した係止部９と被係止部１０が係止する箇所の両側に竪枠押縁材２５をそれぞれ嵌合する。
このときに、図８（ｄ）のように、竪枠押縁材２５のパネル押さえ材１３とガラスパネル５の間にシール材１２を挟み、さらに、コーキング剤などを注入することにより、本実施による手摺の施工が完了する。
【００１７】
図９（ａ）（ｂ）に示すものは、本発明の手摺の下枠４の他の実施形態である。
本実施による手摺は、ガラスパネル５のかわりに複数の竪格子３０を配置したものである。そして、格子手摺は、上枠３の下端面と下枠４の上端面がそれぞれフラットに形成してあり、各竪格子３０は上枠３と下枠４の胴縁材８の裏面側からネジ２４ｅで固定してある。このときに、各竪格子３０をネジ２４ｅで固定した胴縁材８を支柱１に固定してある胴縁受け材１９に係合し、次いで、上枠３の上方からネジ２４ｅで各竪格子３０をそれぞれ固定していくことで、各竪格子３０を上枠３と下枠４の間に容易に固定できる。これにより、格子手摺であっても部品点数が少なく、施工が容易となる。
【００１８】
本発明では、手摺の各構成部材の形状や大きさについて上記の各実施形態に限定されない。また、上枠３は、本実施のようにパネル押さえ部１３と笠木部材１４を別部材で構成するものでもよいし、一体成型したものでよい。さらに、ガラスパネル５についても、その他、樹脂パネルや木製パネル等であってもよい。また、本発明による手摺は、上記実施形態ではバルコニーに適用したものについて説明しているが、通路やスロープ、階段、間仕切り等、その適用範囲を限定するものではない。
【符号の説明】
【００１９】
１  支柱
２  竪枠
３  上枠
４  下枠
５  ガラスパネル（パネル）
７  受溝部（下パネル呑み込み溝）
８  胴縁材
９  係止部
９ａ  返し部
９ｂ  胴縁係止部
１０  被係止部
１１  外側押さえ片（押さえ部）
１２  シール材
１３  パネル押さえ部
１３ａ  支柱取付部
１４  笠木部材
１５  パネル呑み込み溝（上パネル呑み込み溝）
１６  爪部
１７  爪受け部
１８  スライド溝部
１９  胴縁受け材
２０  係合片（係合部）
２１  垂直片（係合部）
２２  被係合部（被係合部）
２３  受け片（被係合部）
２４ａ〜２４ｅ  ネジ
２５  竪枠押縁材
２６  内側押さえ片
２７  押さえ支持部  
２８  竪枠係止部
２９  胴縁被係止部
３０  竪格子
Ｍ  躯体外側見付面
Ｐ  パラペット
Ｒ  バルコニー躯体
Ｓ  空間
Ｕ  アンカー
【図１】
2019112782.tif 000003
【図２】
2019112782.tif 000004
【図３】
2019112782.tif 000005
【図４】
2019112782.tif 000006
【図５】
2019112782.tif 000007
【図６】
2019112782.tif 000008
【図７】
2019112782.tif 000009
【図８】
2019112782.tif 000010
【図９】
2019112782.tif 000011